(57)【要約】      （修正有）【課題】いろいろなところでの食事等が楽しく美味しく食べれるように工夫したデザイン性のみならず、適正な差し込み深さで食品を保持する機能を有し、差し込んだ状態から抜け難い安全なフードピックを提供する。【解決手段】人手による把持部Ｈ２と食品に刺し込み保持する胴部Ｄ２とその先で食品に最初に刺し込む先鋭部Ｓ２とから構成されるフードピックＦＰ２において、把持部Ｈ２と胴部Ｄ２との間に、胴部Ｄ２と先鋭部Ｓ２とが食品に差し込む量を制限するストッパーＳＴ２を形成した。ストッパーＳＴ２は、鍔又は把持部Ｈ２の径より胴部Ｄ２が小径の段差を形成してなる。叉、先鋭部Ｓ２に抜け防止の顎Ａ２を形成してなる。把持部Ｈ２のデザインは、骨の間接部、花柄、サーベル柄、日本刀柄、ボール、動物頭、リボン、おちょこ等を形成して楽しむ。【選択図】図２
0003223432.tif 000002
【実用新案登録請求の範囲】
【請求項１】
食品に突き刺して、採集し、摘み取り、容器に移したり、或いは直接食べたりする飲食用のフードピックであって、人手による把持部と食品に刺し込み保持する胴部とその先で食品に最初に刺し込む先鋭部とから構成されるフードピックにおいて、前記把持部と胴部との間に、胴部と先鋭部とが食品に差し込む量を制限するストッパーを形成したことを特徴とするフードピック。
【請求項２】
前記ストッパーは、鍔又は前記把持部の径より胴部が小径の段差を形成してなることを特徴とする請求項１に記載のフードピック。
【請求項３】
前記先鋭部に抜け防止の顎を形成したことを特徴とする請求項１又は請求項２に記載のフードピック。
【請求項４】
前記把持部に、骨の間接部、花柄、サーベル柄、日本刀柄、ボール、動物頭、人形、リボンの一つを形成したことを特徴とする請求項１〜請求項３のいずれか一つに記載のフードピック。
【請求項５】
前記食品は、和菓子、ケーキ、おでん、果実、根菜、ミートボール、魚肉、動物肉の一つであることを特徴とする請求項１〜請求項４のいずれか一つに記載のフードピック。
【考案の詳細な説明】
【技術分野】
【０００１】  本考案は、一般家庭の弁当、バーベーキュやパーティー又は飲食店等において、和菓子、ケーキ、おでん、果実、根菜、ミートボール、魚肉、動物肉等の食品に突き刺し使用されるフードピックに関する。
【背景技術】
【０００２】  食事の際に、食物を口へ運ぶための食器としては、箸、フォーク、スプーン等、様々なものが使用されている。そして、ホームパーティーやケータリングのように、多数の人が、１つの料理を楽しむ場合には、フードピック、串、楊枝が別途用意されたり、或は、フードピック、串や爪楊枝が予め料理に刺された状態で提供されることが多い。【０００３】  特にフードピックは、例えばお弁当箱内に小さめのおかずを入れる際にはおかずに突き刺して食べやすくし、また飲食店においては、おでん、焼肉等の食品を美味しく楽しく会話をして食べるために重宝される。【０００４】  一般的に用いられるフードピックは、把持部と脚部と先鋭部から成る単純成形体である。しかしながら、このようなフードピックは必ずしもデザイン性及び利便性が高いとはいえない。【０００５】  そこで、特許文献１等で紹介のようにデザイン性を高めたフードピックが知られている。これは、把持部を間接ボーン形状やこけし人形に類似する形態に形成することにより、デザイン性を高めたものである。
しかしながら、この開示されたフードピックは、デザイン性を高めたものであって、突き刺す対象となる料理品やお菓子等とのバランスを考慮して作製するなど利便性を考慮したものではない。
【先行技術文献】
【特許文献】
【０００６】
【特許文献１】意匠登録第１３０９５８５号公報（権利抹消）
【考案の開示】
【考案が解決しようとする課題】
【０００７】  即ち、前記従来のフードピックは、胴部と先鋭部は食品に突き刺す箇所であるため、食品に突き刺しやすくするためには、長く設けられることが望ましいが、長すぎると、厚みが薄い食品の場合には、突き刺した際に、加工が施された先鋭部が食品から表出してしまい、フードピックのデザイン性を損ねてしまうことになる。【０００８】  逆に、先鋭部が短すぎると、食品に突き刺した際に、突き刺しにくくなり、或は、食品とフードピックの胴部との間に十分な摩擦力が得られず、フードピックを把持して食品を持ち上げようとした際に、フードピックから食品が抜け落ちてしまうといった事態が発生しやすくなる。【０００９】  そこで本考案は前記いろいろなところでの食事等が楽しく美味しく食べれるように工夫したデザイン性のみならず利便性即ち、適正な差し込み深さで食品を保持する機能及び差し込んだ状態から抜けない安全なフードピックを提供する。
【課題を解決するための手段】
【００１０】  即ち、本考案のフードピックの技術的特徴とするところは次の（１）〜（５）の通りである。
（１）、食品に突き刺して、採集し、摘み取り、容器に移したり、或いは直接食べたりする飲食用のフードピックであって、人手による把持部と食品に刺し込み保持する胴部とその先で食品に最初に刺し込む先鋭部とから構成されるフードピックにおいて、前記把持部と胴部との間に、胴部と先鋭部とが食品に差し込む量を制限するストッパーを形成したことを特徴とするフードピック。
（２）、前記ストッパーは、鍔又は前記把持部の径より胴部が小径の段差を形成してなることを特徴とする。
（３）、前記先鋭部に抜け防止の顎を形成したことを特徴とする。
（４）、前記把持部に、骨の間接部、花型、サーベル柄、日本刀柄、ボール、動物頭、人形、リボン等の一つを形成したことを特徴とする。
（５）、前記食品は、和菓子、ケーキ、おでん、果実、根菜、ミートボール、魚肉、動物肉の一つであることを特徴とする。
【考案の効果】
【００１１】  本考案のフードピックは、前記いろいろなところでの食事等が楽しく美味しく食べれるように工夫したデザイン性のみならず利便性即ち、適正な差し込み深さで食品を保持する機能及び差し込んだ状態から抜け難い安全な機能などの優れた作用効果を呈するフードピックである。
【図面の簡単な説明】
【００１２】
【図１】本考案のフードピックの実施例１を示す側面説明図である。
【図２】本考案のフードピックの実施例２を示す側面説明図である。
【図３】本考案のフードピックの実施例３を示す側面説明図である。
【図４】本考案のフードピックの実施例４を示す側面説明図である。
【考案を実施するための形態】
【００１３】  本考案の実施形態に係るフードピック例を、図面を参照して説明する。
以下の説明は本考案の実用新案登録請求の範囲に記載の考案の例に限定するものではない。
【実施例１】
【００１４】  本実施例１のフードピックＦＰ１は、図１において、ボーン形状の把持部Ｈ１と食品に刺し込み保持する胴部Ｄ１とその先で食品に最初に刺し込む先鋭部Ｓ１とから構成されるフードピックであり、前記把持部Ｈ１と胴部Ｄ１との間に、胴部Ｄ１と先鋭部Ｓ１とが食品に差し込む量を制限するストッパーＳＴ１を形成した基本形であり、ストッパーＳＴ１として前記把持部Ｈ１の径より胴部Ｄ１を小径にした段差を形成してなる。
【実施例２】
【００１５】  本実施例２のフードピックＦＰ２は、図２において、ボーン形状の把持部Ｈ２と食品に刺し込み保持する胴部Ｄ２とその先で食品に最初に刺し込む先鋭部Ｓ２とから構成されるフードピックであり、前記把持部Ｈ２と胴部Ｄ２との間に、胴部Ｄ２と先鋭部Ｓ２とが食品に差し込む量を制限する前例同様の段差型のストッパーＳＴ２を形成し、前記先鋭部Ｓ２に抜け防止の顎Ａ２を形成した例である。
【実施例３】
【００１６】  本実施例３のフードピックＦＰ３は、図３において、サーベル柄の把持部Ｈ３と食品に刺し込み保持する胴部Ｄ３とその先で食品に最初に刺し込む先鋭部Ｓ３とから構成されるフードピックであり、前記把持部Ｈ３と胴部Ｄ３との間に、胴部Ｄ３と先鋭部Ｓ３とが食品に差し込む量を制限する鍔型のストッパーＳＴ３を形成してなると共に、前記先鋭部Ｓ３に抜け防止の顎Ａ３を形成した例である。
【実施例４】
【００１７】  本実施例４のフードピックＦＰ４は、リボンの把持部Ｈ４と食品に刺し込み保持する胴部Ｄ４とその先で食品に最初に刺し込む先鋭部Ｓ４とから構成されるフードピックであり、前記把持部Ｈ４と胴部Ｄ４との間に、胴部Ｄ４と先鋭部Ｓ４とが食品に差し込む量を制限する鍔型のストッパーＳＴ４を形成すると共に、前記先鋭部Ｓ４に抜け防止の顎Ａ４を形成した例である。【００１８】  以上の実施例において、フードピックの把持部のデザインは、図示した例に限定されていないが、前記把持部に、フードピックとしての用途に応じて楽しく美味しく食べれるデザイン即ち、骨の間接部（ボーン形状）、花柄、サーベル柄、日本刀柄、ボール、人形、動物頭、リボン、おちょこ等の任意のデザインを構築することができる。
また本考案において、フードピックの材質は塩化ビニールやプラスチック等の合成樹脂、又は金属製、木製等適宜な材料を任意に選択し、また色彩も用途に応じて適切な色彩に任意に選択することが出来る。
【産業上の利用可能性】
【００１９】  本考案の前記特徴のフードピックは前述の優れた作用効果を呈するため、各種の食産業分野において有用であり、産業上の利用可能性が極めて大きく貢献度の高い考案である。
【符号の説明】
【００２２】ＦＰ１〜ＦＰ４：フードピック
Ｈ１〜Ｈ４：把持部
Ｄ１〜Ｄ４：胴部
Ｓ１〜Ｓ４：先鋭部
ＳＴ１〜ＳＴ４：ストッパー
Ａ３〜Ａ４：抜け防止の顎
【図１】
0003223432.tif 000003
【図２】
0003223432.tif 000004
【図３】
0003223432.tif 000005
【図４】
0003223432.tif 000006